(57)【要約】【課題】  記録媒体の、トナー像が定着された面とは反対側の面の汚損を抑制する工夫が図られた定着装置、および、このような定着装置が備えられた画像形成装置を提供する。【解決手段】  記録媒体の、該未定着トナー像を担持した表面に接触する加熱された加熱面と、該定着領域に送り込まれた記録媒体を該加熱面に向けて押圧する押圧面とを備え、未定着トナー像を該記録媒体に定着させる加熱加圧機構と、拭取面が移動自在なウェブと、定着領域に記録媒体が存在するか否かを判定する判定部と、前記判定部による判定結果を受けて前記定着領域に記録媒体が不存在であって、かつ前記加熱面が循環移動している時間をカウントするカウント部と、前記カウント部によるカウント値が所定値を越えた時点で、前記ウェブの拭取面を移動させるウェブ制御部とを備えた。【選択図】        図２
2006126277.tif 000002
【特許請求の範囲】
【請求項１】
未定着トナー像を担持した記録媒体が送り込まれる所定の定着領域を経由する循環移動とその移動停止を繰り返し該定着領域において該記録媒体の、該未定着トナー像を担持した表面に接触する加熱された加熱面と、該定着領域に送り込まれた記録媒体を該加熱面に向けて押圧する押圧面とを備え、該加熱面を循環移動させながら該記録媒体を、該加熱面と該押圧面との間に挟み込んで該定着領域から送り出すことにより該未定着トナー像を該記録媒体に定着させる加熱加圧機構と、
長尺な拭取面を有し、前記表面に接触した後の加熱面に該拭取面の長手方向の一部分を接触させ、該拭取面が該長手方向の一方側に向けて移動自在なウェブと、
前記定着領域に記録媒体が存在するか否かを判定する判定部と、
前記判定部による判定結果を受けて前記定着領域に記録媒体が不存在であるときに前記加熱面が循環移動している時間をカウントするカウント部と、
前記カウント部によるカウント値が所定値を越えた時点で、前記ウェブの拭取面を前記長手方向の一方側に向けて移動させるウェブ制御部とを備えたことを特徴とする定着装置。
【請求項２】
未定着トナー像を担持した記録媒体が送り込まれる所定の定着領域を経由する循環移動とその移動停止を繰り返し該定着領域において該記録媒体の、該未定着トナー像を担持した表面に接触する加熱された加熱面と、該定着領域に送り込まれた記録媒体を該加熱面に向けて押圧する押圧面とを備え、該加熱面と該押圧面とが相対的に接離自在なものであり、該加熱面を循環移動させながら該記録媒体を、該加熱面と該押圧面とを接触させることで該加熱面と該押圧面との間に挟み込んで該定着領域から送り出すことにより該未定着トナー像を該記録媒体に定着させる加熱加圧機構と、
長尺な拭取面を有し、前記未定着トナー像に接触した後の加熱面に該拭取面の長手方向の一部分を接触させ、該拭取面が該長手方向の一方側に向けて移動自在なウェブと、
前記定着領域に記録媒体が存在するか否かを判定する判定部と、
前記判定部による判定結果を受けて前記定着領域に記録媒体が不存在であって、かつ前記加熱面が循環移動している間は、前記加熱面と前記押圧面とを相対的に離間させる加熱加圧機構制御部とを備えたことを特徴とする定着装置。
【請求項３】
未定着トナー像を担持した記録媒体に該未定着トナー像を定着させる定着装置を備え、
像担持体上にトナー像を形成し、該トナー像を最終的に記録媒体上に転写することで未定着トナー像を該記録媒体に担持させ、該定着装置によって該記録媒体に該未定着トナー像を定着させることにより該記録媒体上に定着トナー像からなる画像を形成する画像形成装置において、
前記定着装置が、
前記未定着トナー像を担持した記録媒体が送り込まれる所定の定着領域を経由する循環移動とその移動停止を繰り返し該定着領域において該記録媒体の、該未定着トナー像を担持した表面に接触する加熱された加熱面と、該定着領域に送り込まれた記録媒体を該加熱面に向けて押圧する押圧面とを備え、該加熱面を循環移動させながら該記録媒体を、該加熱面と該押圧面との間に挟み込んで該定着領域から送り出すことにより該未定着トナー像を該記録媒体に定着させる加熱加圧機構と、
長尺な拭取面を有し、前記表面に接触した後の加熱面に該拭取面の長手方向の一部分を接触させ、該拭取面が該長手方向の一方側に向けて移動自在なウェブと、
前記定着領域に記録媒体が存在するか否かを判定する判定部と、
前記判定部による判定結果を受けて前記定着領域に記録媒体が不存在であるときに前記加熱面が循環移動している時間をカウントするカウント部と、
前記カウント部によるカウント値が所定値を越えた時点で、前記ウェブの拭取面を前記長手方向の一方側に向けて移動させるウェブ制御部とを備えたものであることを特徴とする画像形成装置。
【請求項４】
未定着トナー像を担持した記録媒体に該未定着トナー像を定着させる定着装置を備え、
像担持体上にトナー像を形成し、該トナー像を最終的に記録媒体上に転写することで未定着トナー像を該記録媒体に担持させ、該定着装置によって該記録媒体に該未定着トナー像を定着させることにより該記録媒体上に定着トナー像からなる画像を形成する画像形成装置において、
前記定着装置が、
前記未定着トナー像を担持した記録媒体が送り込まれる所定の定着領域を経由する循環移動とその移動停止を繰り返し該定着領域において該記録媒体の、該未定着トナー像を担持した表面に接触する加熱された加熱面と、該定着領域に送り込まれた記録媒体を該加熱面に向けて押圧する押圧面とを備え、該加熱面と該押圧面とが相対的に接離自在なものであり、該加熱面を循環移動させながら該記録媒体を、該加熱面と該押圧面とを接触させることで該加熱面と該押圧面との間に挟み込んで該定着領域から送り出すことにより該未定着トナー像を該記録媒体に定着させる加熱加圧機構と、
長尺な拭取面を有し、前記未定着トナー像に接触した後の加熱面に該拭取面の長手方向の一部分を接触させ、該拭取面が該長手方向の一方側に向けて移動自在なウェブと、
前記定着領域に記録媒体が存在するか否かを判定する判定部と、
前記判定部による判定結果を受けて前記定着領域に記録媒体が不存在であって、かつ前記加熱面が循環移動している間は、前記加熱面と前記押圧面とを相対的に離間させる加熱加圧機構制御部とを備えたものであることを特徴とする画像形成装置。
【発明の詳細な説明】
【技術分野】
【０００１】
本発明は、未定着トナー像を担持した記録媒体に該未定着トナー像を定着させる定着装置、および、この定着装置を備えた画像形成装置に関する。
【背景技術】
【０００２】
従来より、未定着トナー像を記録媒体などの記録媒体に転写した後、その未定着トナー像が転写された記録媒体を、対向して配備された、一連の画像形成を行うジョブ処理中は回転し続ける加熱ロールおよび加圧ロールによって形成したニップ部で挟み込んで加熱および加圧した後、このニップ部から送り出すことにより未定着トナー像を記録媒体に定着させることでトナー像を記録媒体上に定着させる定着装置を備えたプリンタなどの画像形成装置が知られている。
【０００３】
上記のような定着装置では、加熱ロールの表面が、記録媒体の、未定着トナー像を担持した表面に接し、加圧ロールの表面が、記録媒体の裏面に接する。加熱ロールの表面には、未定着トナー像を構成する一部のトナー粉が付着しやすく、また、記録媒体がニップ部にないときには、加圧ロールの表面にトナー粉が移行してしまう。
【０００４】
加圧ロールにトナー粉が移行すると、記録媒体の裏面がトナーで汚れてしまうため、このような定着装置のなかには、このトナー粉を拭うためのウェブを加熱ロールに接触させておくものがあり、このような定着装置では、ジョブ終了毎、あるいは、累積の画像ピクセル数が所定値を越える毎にウェブを動かすことでこのトナー粉を拭う提案がなされている（例えば、特許文献１、特許文献２参照）。
【０００５】
しかしながら、上記提案による措置がとられている定着装置を備えていても、記録媒体の裏面がこのトナー粉によって汚されてしまうことがある。
【０００６】
これは、ウェブと加熱ロールとが接触する部分に溜まったトナー粉の一部であって加熱ロールの熱にさらされて溶融することによりこの接触部分をすり抜けたトナー粉は、通常であれば記録媒体上の表面に目立たない程度に少しずつ付着して問題とはならないところ、ニップ部に送り込まれてくる記録媒体同士の搬送間隔が通常よりもかなり開いてしまった場合には、次の記録媒体がニップ部に送り込まれてくるまでは加圧ロールに次々に付着し、ようやくニップ部に送り込まれてきた記録媒体の裏面に一度に付着してしまうためである。
【特許文献１】特開平１１−２４４８４号公報
【特許文献２】特開２００２−３６５９５５号公報
【発明の開示】
【発明が解決しようとする課題】
【０００７】
本発明は、上記事情に鑑み、記録媒体の、トナー像が定着された面とは反対側の面の汚損を抑制する工夫が図られた定着装置、および、このような定着装置が備えられた画像形成装置を提供することを目的とする。
【課題を解決するための手段】
【０００８】
上記目的を達成するための本発明の定着装置のうちの第１の定着装置は、
未定着トナー像を担持した記録媒体が送り込まれる所定の定着領域を経由する循環移動とその移動停止を繰り返しこの定着領域においてこの記録媒体の、この未定着トナー像を担持した表面に接触する加熱された加熱面と、この定着領域に送り込まれた記録媒体をこの加熱面に向けて押圧する押圧面とを備え、この加熱面を循環移動させながらこの記録媒体を、この加熱面とこの押圧面との間に挟み込んでこの定着領域から送り出すことによりこの未定着トナー像をこの記録媒体に定着させる加熱加圧機構と、
長尺な拭取面を有し、上記表面に接触した後の加熱面にこの拭取面の長手方向の一部分を接触させ、この拭取面がこの長手方向の一方側に向けて移動自在なウェブと、
上記定着領域に記録媒体が存在するか否かを判定する判定部と、
上記判定部による判定結果を受けて上記定着領域に記録媒体が不存在であるときに上記加熱面が循環移動している時間をカウントするカウント部と、
上記カウント部によるカウント値が所定値を越えた時点で、上記ウェブの拭取面を上記長手方向の一方側に向けて移動させるウェブ制御部とを備えたことを特徴とする。
【０００９】
本発明の第１の定着装置では、加熱面が循環移動している間であって、定着領域に所定時間以上記録媒体が不存在の場合には、ウェブの拭き取り面の移動が行われてウェブの未使用の拭取面を加熱面に接触させる。その結果、加熱面とウェブの拭取面との接触部分に溜まったトナーが、その接触部分から除去される。このため、定着領域に記録媒体が不存在であるときに、上記加熱面が循環移動することで上記押圧面へ移行するトナー量が抑えられる。したがって、本発明の第１の定着装置によれば、記録媒体の、トナー像を定着させた面とは反対側の面の汚損を抑制することができる。
【００１０】
上記目的を達成するための本発明の定着装置のうちの第２の定着装置は、
未定着トナー像を担持した記録媒体が送り込まれる所定の定着領域を経由する循環移動とその移動停止を繰り返しこの定着領域においてこの記録媒体の、この未定着トナー像を担持した表面に接触する加熱された加熱面と、この定着領域に送り込まれた記録媒体をこの加熱面に向けて押圧する押圧面とを備え、この加熱面とこの押圧面とが相対的に接離自在なものであり、この加熱面を循環移動させながらこの記録媒体を、この加熱面とこの押圧面とを接触させることでこの加熱面とこの押圧面との間に挟み込んでこの定着領域から送り出すことによりこの未定着トナー像をこの記録媒体に定着させる加熱加圧機構と、
長尺な拭取面を有し、上記未定着トナー像に接触した後の加熱面にこの拭取面の長手方向の一部分を接触させ、この拭取面がこの長手方向の一方側に向けて移動自在なウェブと、
上記定着領域に記録媒体が存在するか否かを判定する判定部と、
上記判定部による判定結果を受けて上記定着領域に記録媒体が不存在であって、かつ上記加熱面が循環移動している間は、上記加熱面と上記押圧面とを相対的に離間させる加熱加圧機構制御部とを備えたことを特徴とする。
【００１１】
本発明の第２の定着装置では、加熱面が循環移動している間であって、定着領域に記録媒体が不存在の場合には加熱面と押圧面とを相対的に離間させる。この結果、加熱面とウェブの拭取面との接触部分に溜まったトナーのうちのこの接触部分をすり抜けたトナーが、押圧面へ移行してしまうことを阻止することができる。したがって、本発明の第２の定着装置によっても、トナー像を担持する面とは判定側の面の汚損を抑制することができる。
【００１２】
上記目的を達成するための本発明の画像形成装置のうちの第１の画像形成装置は、
未定着トナー像を担持した記録媒体にこの未定着トナー像を定着させる定着装置を備え、
像担持体上にトナー像を形成し、このトナー像を最終的に記録媒体上に転写することで未定着トナー像をこの記録媒体に担持させ、この定着装置によってこの記録媒体にこの未定着トナー像を定着させることによりこの記録媒体上に定着トナー像からなる画像を形成する画像形成装置において、
上記定着装置が、
上記未定着トナー像を担持した記録媒体が送り込まれる所定の定着領域を経由する循環移動とその移動停止を繰り返しこの定着領域においてこの記録媒体の、この未定着トナー像を担持した表面に接触する加熱された加熱面と、この定着領域に送り込まれた記録媒体をこの加熱面に向けて押圧する押圧面とを備え、この加熱面を循環移動させながらこの記録媒体を、この加熱面とこの押圧面との間に挟み込んでこの定着領域から送り出すことによりこの未定着トナー像をこの記録媒体に定着させる加熱加圧機構と、
長尺な拭取面を有し、上記表面に接触した後の加熱面にこの拭取面の長手方向の一部分を接触させ、この拭取面がこの長手方向の一方側に向けて移動自在なウェブと、
上記定着領域に記録媒体が存在するか否かを判定する判定部と、
上記判定部による判定結果を受けて上記定着領域に記録媒体が不存在であるときに上記加熱面が循環移動している時間をカウントするカウント部と、
上記カウント部によるカウント値が所定値を越えた時点で、上記ウェブの拭取面を上記長手方向の一方側に向けて移動させるウェブ制御部とを備えたものであることを特徴とする。
【００１３】
上記目的を達成するための本発明の画像形成装置のうちの第２の画像形成装置は、
未定着トナー像を担持した記録媒体にこの未定着トナー像を定着させる定着装置を備え、
像担持体上にトナー像を形成し、このトナー像を最終的に記録媒体上に転写することで未定着トナー像をこの記録媒体に担持させ、この定着装置によってこの記録媒体にこの未定着トナー像を定着させることによりこの記録媒体上に定着トナー像からなる画像を形成する画像形成装置において、
上記定着装置が、
上記未定着トナー像を担持した記録媒体が送り込まれる所定の定着領域を経由する循環移動とその移動停止を繰り返しこの定着領域においてこの記録媒体の、この未定着トナー像を担持した表面に接触する加熱された加熱面と、この定着領域に送り込まれた記録媒体をこの加熱面に向けて押圧する押圧面とを備え、この加熱面とこの押圧面とが相対的に接離自在なものであり、この加熱面を循環移動させながらこの記録媒体を、この加熱面とこの押圧面とを接触させることでこの加熱面とこの押圧面との間に挟み込んでこの定着領域から送り出すことによりこの未定着トナー像をこの記録媒体に定着させる加熱加圧機構と、
長尺な拭取面を有し、上記未定着トナー像に接触した後の加熱面にこの拭取面の長手方向の一部分を接触させ、この拭取面がこの長手方向の一方側に向けて移動自在なウェブと、
上記定着領域に記録媒体が存在するか否かを判定する判定部と、
上記判定部による判定結果を受けて上記定着領域に記録媒体が不存在であって、かつ上記加熱面が循環移動している間は、上記加熱面と上記押圧面とを相対的に離間させる加熱加圧機構制御部とを備えたものであることを特徴とする。
【発明の効果】
【００１４】
本発明によれば、記録媒体の、トナー像が定着される面とは反対側の面の汚損を抑制する定着装置、および、その定着装置を備えた画像形成装置を提供することができる。
【発明を実施するための最良の形態】
【００１５】
以下、本発明の実施形態について説明する。
【００１６】
図１は、本発明の第１の定着装置および本発明の第２の定着装置の共通の一実施形態を備えた、本発明の第１の画像形成装置および本発明の第２の画像形成装置の共通の一実施形態であるプリンタの主要部の概略構成図である。
【００１７】
図１に示す、本実施形態のプリンタ１には、４つの画像形成部１０Ｙ、１０Ｍ、１０Ｃ、１０Ｋが備えられており、各画像形成部には、それぞれ、感光体ローラ１１Ｙ、１１Ｍ、１１Ｃ、１１Ｋ、帯電器１２Ｙ、１２Ｍ、１２Ｃ、１２Ｋ、露光器１３Ｙ、１３Ｍ、１３Ｃ、１３Ｋ、現像ローラ１４Ｙ、１４Ｍ、１４Ｃ、１４Ｋ、および、一次転写ローラ１５Ｙ、１５Ｍ、１５Ｃ、１５Ｋが備えられている。尚、このプリンタ１は、フルカラーの印刷が可能となっており、上記の各構成要素の末尾に付された符号Ｙ、Ｍ、Ｃ、およびＫは、それぞれイエロー、マゼンタ、シアン、および黒の画像形成用の構成要素であることを示している。
【００１８】
また、このプリンタ１には、中間転写ベルト３０、二次転写ローラ３２、定着器３３、、テンションローラ３４、およびＣＰＵ３５も備えられている。
【００１９】
このプリンタ１における基本的な画像形成動作について説明する。
【００２０】
先ず、イエローの画像形成部１０Ｙによるトナー像形成が開始され、矢印Ａ方向に回転する感光体ローラ１１Ｙ表面に、接触式の帯電器１２Ｙにより所定の電荷が付与される。次に、露光器１３Ｙにより感光体ローラ１１Ｙの表面にイエロー画像に相当する露光光が照射され潜像が形成される。その潜像は現像ローラ１４Ｙによりイエローのトナーで現像されて感光体ローラ１１Ｙ上にイエローのトナー像が形成される。そのトナー像は一次転写ローラ１５Ｙにより中間転写ベルト３０に転写される。
【００２１】
中間転写ベルト３０は矢印Ｂ方向に循環移動しており、中間転写ベルト３０上に転写されたイエローのトナー像が次の色の画像形成部１０Ｍの一次転写ローラ１５Ｍに到達するタイミングに合わせて、次の色のマゼンタのトナー像が一次転写ローラ１５Ｍに到達するように、マゼンタの画像形成部１０Ｍによるトナー像形成が行われる。こうして形成されたマゼンタのトナー像は、一次転写ローラ１５Ｍにおいて中間転写ベルト３０上のイエローのトナー像の上に重ねて転写される。
【００２２】
続いて、シアンおよび黒の画像形成部１０Ｃ、１０Ｋによるトナー像形成が上記と同様のタイミングで行われ、一次転写ローラ１５Ｃ、１５Ｋにおいて中間転写ベルト３０のイエローおよびマゼンタのトナー像の上に順次重ねて転写される。
【００２３】
こうして、中間転写ベルト３０上に転写された多色トナー像は、二次転写ローラ３２により用紙２００上に二次転写され、この多色トナー像は、用紙２００とともに矢印Ｃ方向に搬送され、本発明の第１の定着装置および本発明の第２の定着装置の一実施形態である定着器３３に送り込まれて用紙２００上に加熱および加圧されることで定着される。
【００２４】
次に、本実施形態の定着装置３３について説明する。
【００２５】
図２は、本発明の定着装置の一実施形態の概略構成図である。
【００２６】
この定着装置３３は、対向して配備されニップ部を形成した１対のローラである、矢印Ｄ方向に回転する加熱ローラ３３ａおよび矢印Ｅ方向に回転する加圧ローラ３３ｂ、加熱ローラ３３ａにウェブ３３２を接触させる接触ローラ３３ｄ、未使用のウェブ３３２が巻き付けられている巻付ローラ３３ｃ、使用済みのウェブ３３２が巻き取られる巻取ローラ３３ｅ、ステッピングモータ３３ｇ、投光部３３１ｉと受光部３３２ｉからなる投受光センサ３３ｉ、および、ステッピングモータ３３ｇの軸３３１ｇに固定されると共に加圧ローラ３３ｂの軸３３１ｂに加圧ローラ３３ｂの回転を確保しながら軸着されたアーム３３ｈを構成要素としている。ステッピングモータ３３ｇは、回動することにより加圧ローラ３３ｂを加熱ローラ３３ａに対し接離自在に移動できるようになっている。
【００２７】
図２に示す定着装置３３の加熱ローラ３３ａの内部には、この加熱ローラ３３ａを加熱する熱源であるヒータランプ３３０ａが備えられており、加熱ロール３３ａの表面は、矢印Ｄ方向に循環移動する。したがって、図２に示す加熱ロール３３ａの表面が本発明にいう加熱面の一例に相当する。また、図２に示す加圧ローラ３３ｂの表面が、本発明の押圧面の一例に相当する。
【００２８】
また、図２に示すウェブ３３２は、長尺な拭取面を有し、記録媒体の表面に接触した後の加熱面にこの拭取面の長手方向（図２における左右方向）の一部分を接触させ、この拭取面がこの長手方向の一方側（矢印Ｆの方向）に向けて移動して巻き取られる紙製のものである。
【００２９】
この定着装置３３では、これら加熱ローラ３３ａおよび加圧ローラ３３ｂの接触部分に形成されたニップ部３３１にトナー像を担持した用紙２００が送り込まれ、トナー像を担持した用紙２００がこのニップ部３３１を通過する際にトナー像が加熱溶融され、さらに加圧されることで用紙２００に対しトナー像が定着される。尚、巻取ローラ３３ｅは、巻取ローラ回転モータ３３ｆの回転によって使用済みのウェブ３３２を矢印Ｆの方向に巻き取るようになっている。
【００３０】
図３は、本実施形態のプリンタの概略構成図である。
【００３１】
図３には、このプリンタ１の全体の動作を制御するＣＰＵ３５と、ニップ部３３１を用紙２００が通過中であるか否かを判定する投受光センサ３３ｉと、加圧ローラ３３ｂを回転させる加圧ローラ駆動モータ３３ｊと、ウェブ３３２を巻き取る巻取ローラ回転モータ３３ｆと、加熱ローラ３３ａと加圧ローラ３３ｂの間の接離を制御するステッピングモータ３３ｇと、投受光センサ３３ｉにおいて用紙検出がなされていない間の時間計測を行うカウンタ３３ｋとが示されている。
【００３２】
カウンタ３３ｋは、ジョブ処理が行われているときの、ニップ部３３１において記録媒体が非存在の時間をカウント値で計測している。
【００３３】
投受光センサ３３ｉは、前述したように発光部３３１ｉと受光部３３２ｉとで構成されており、発光部３３１ｉから出射された光が受光部３３２ｉで受光されるか否かによって、ニップ部３３１を用紙２００が通過中であるか否かを検出している。
【００３４】
加圧ローラ駆動モータ３３ｊは、プリント開始を指示するスタートボタンの操作により回転が開始され、加熱ローラ３３ａは、この加圧ローラ３３ｂの回転により連れ回っている。
【００３５】
巻取ローラ回転モータ３３ｆは、詳しくは後述するが、用紙２００がニップ部３３１を通過しない累積時間が所定値を越えたことがＣＰＵ３５によって検知されると、ＣＰＵ３３０からの回転指示を受けて回転する。これにより、それまで加熱ローラ３３ａとウェブ３３２の接触部分にたまっていたトナーは加熱ローラ３３ａから離れ、代わりにウェブ３３２の未使用部分が加熱ローラ３３ａに接触することになる。したがって、加熱ローラ３３ａとウェブ３３２の接触部分をすり抜けるトナーの量を抑制できることから、加圧ローラ３３ｂへの付着も抑制することができる。
【００３６】
ステッピングモータ３３ｇは、加圧ローラ３３ｂが回転中であってカウンタ３３ｋによって所定時間以上ニップ部３３１に用紙２００が存在していないことがＣＰＵ３５によって検知されると、ＣＰＵ３５からの回動指示を受けて、加圧ローラ３３ｂを加熱ローラ３３ａから離隔させるように回動する。これにより、加熱ローラ３３ａとウェブ３３２の接触部分をすり抜けたトナーの、加圧ローラ３３ｂへの付着を抑制することができる。
【００３７】
以下、図４を用いて本実施形態のプリンタ１の動作について説明する。
【００３８】
図４は、本実施形態のプリンタにおいて、プリント開始を指示する、不図示のスタートボタンが操作されると起動されるルーチンのフローチャートである。
【００３９】
図４に示すステップＳ１では、加圧ローラ３３ｂへの回転指示が出される。ステップＳ２では、図３に示すカウンタ３３ｋに備えられたカウンタに格納されているカウント値（ｎ）が、所定値を以上か否かが判定される。ステップＳ２において、カウント値が所定値以上であると判定すると、ステップＳ３に進み、巻取ローラ回転モータ３３ｆに回転指示を出す。ステップＳ４では、巻取ローラ回転モータ３３ｆに回転停止指示を出す。これにより、ウェブ３３２と加熱ローラ３３ａの接触部分に溜まったトナーがウェブ３３２によりこの接触部分から持ち去られ、ウェブ３３２の未使用面が加熱ローラ３３ａと接触する。これにより、この接触部分に溜まったトナーが熱によって溶融し、この接触部分をすり抜けるトナーの量を抑制することができ、これにより、加圧ローラ３３ｂに付着してしまうトナーの量も抑制することができる。
【００４０】
ステップＳ５では、カウント値のリセットが行われ、ステップＳ６では、投受光センサ３３ｉにより、ニップ部３３１に用紙２００が存在しているか否かが判定される。ステップＳ６において、用紙２００がニップ部３３１に存在していると判定すると、ステップＳ７に進み、加熱ローラ３３ａと加圧ローラ３３ｂの接触を確認するために、加圧ローラ３３ｂを加熱ローラ３３ａに接触させる向きの回動をステッピングモータ３３ｇに指示する。
【００４１】
ステップＳ８では、ジョブが終了したか否かが判定され、ステップＳ８において、ジョブがまだ残っていると判定するとステップＳ２に戻り、ジョブが終了したと判定すると、ステップＳ９に進み、加圧ローラ３３ｂへの回転停止を指示し、このルーチンを終了する。ここで、ステップＳ６において、ニップ部３３１に用紙２００が存在していないと判定すると、ステップＳ１０に進み、加熱ローラ３３ａと加圧ローラ３３ｂとを離隔させるために、加圧ローラ３３ｂを加熱ローラ３３ａから離隔させる向きの回動をステッピングモータ３３ｇに指示し、その後、ステップＳ８に進む。
【００４２】
一方、ステップＳ２において、カウント値が所定値を下回っていると判定されると、ステップＳ１１に進み、ニップ部３３１に用紙２００が存在しているか否かが判定される。ステップＳ１１において、用紙２００が存在していると判定すると、ステップＳ１２において、加圧ローラ３３ｂを加熱ローラ３３ａに接触させる向きの回動をステッピングモータ３３ｇに指示し、ステップＳ１３において、カウント値をゼロリセットする。その後、ステップＳ８に進む。ここで、ステップＳ１１において、用紙２００がニップ部３３１に存在していないと判定すると、ステップＳ１４に進み、加熱ローラ３３ａと加圧ローラ３３ｂとを離隔させるために、加圧ローラ３３ｂを加熱ローラ３３ａから離隔させる向きの回動をステッピングモータ３３ｇに指示し、ステップＳ１５に進む。ステップＳ１５では、カウント値が加算され、その後、ステップＳ８に進む。
【００４３】
以上に説明したように、本実施形態のプリンタ１では、一旦加圧ローラ３３ｂへの回転指示が出された後であって、かつニップ部３３１に用紙２００が不存在である時間をカウントして、カウント値が所定値以上であると判定すると、ウェブ３３２の巻き取りが行われる。また、このプリンタ１では、一旦加圧ローラ３３ｂへの回転指示が出された後であって、かつニップ部３３１に用紙２００が不存在であると判定すると、加圧ローラ３３ｂが加熱ローラ３３ａから離隔される。これらにより、このプリンタ１では、加熱ローラ３３ａとウェブ３３２の接触部分に溜まったトナーの、加圧ローラ３３ｂへの付着を抑制することができる。したがって、本実施形態のプリンタ１によれば、記録媒体の、トナー像を定着させた面とは反対側の面の汚損を抑制することができる。
【００４４】
尚、以上に説明した実施形態では、加熱ローラ３３ａとウェブ３３２の接触部分に溜まったトナーの、加圧ローラ３３ｂへの付着を抑制するために、ウェブ３３２の巻き取りと、加熱ローラ３３ａからの加圧ローラ３３ｂの離隔との双方が行われる例を挙げて説明したが、本発明はこれに限るものでは無く、これらのうちのいずれか一方が行われるものであればよい。また、以上に説明した実施形態では、ウェブ３３２が巻取ローラ３３ｅによって巻き取られる場合を例に挙げて説明したが、本発明はこのような形態に限るものではなく、ただ単にスライドされるもの、あるいは、未使用のウェブ３３２が折り畳まれているものであってもよい。また、加圧ローラ３３ｂを、加熱ローラ３３ａに対して離間させる例を挙げて説明したが、本発明はこれに限るものではなく、加圧ローラ３３ｂに対して加熱ローラ３３ａを離間させるものであってもよい。
【図面の簡単な説明】
【００４５】
【図１】本発明の第１の定着装置および本発明の第２の定着装置の共通の一実施形態を備えた、本発明の第１の画像形成装置および本発明の第２の画像形成装置の共通の一実施形態であるプリンタの主要部の概略構成図である。
【図２】本発明の定着装置の一実施形態の概略構成図である。
【図３】本実施形態のプリンタの概略構成図である。
【図４】プリンタにおいて、プリンタの開始を指示する、不図示のスタートボタンが操作されると起動されるルーチンのフローチャートである。
【符号の説明】
【００４６】
１  プリンタ
１１Ｙ、１１Ｍ、１１Ｃ、１１Ｋ  感光体ローラ
１２Ｙ、１２Ｍ、１２Ｃ、１２Ｋ  帯電器
１３Ｙ、１３Ｍ、１３Ｃ、１３Ｋ  露光器
１４Ｙ、１４Ｍ、１４Ｃ、１４Ｋ  現像ローラ
１５Ｙ、１５Ｍ、１５Ｃ、１５Ｋ  一次転写ローラ
２００  用紙
３０  中間転写ベルト
３２  二次転写ローラ
３３  定着器
３３ａ  加熱ローラ
３３０ａ  ヒータランプ
３３ｂ  加圧ローラ
３３１ｂ  軸
３３ｃ  巻付ローラ
３３ｄ  接触ローラ
３３ｅ  巻取ローラ
３３ｆ  巻取ローラ回転モータ
３３ｇ  ステッピングモータ
３３１ｇ  軸
３３ｈ  アーム
３３ｉ  投受光センサ
３３１ｉ  投光部
３３ｊ  加圧ローラ駆動モータ
３３ｋ  カウンタ
３３１  ニップ部
３３２  ウェブ
３３２ｉ  受光部
【図１】
2006126277.tif 000003
【図２】
2006126277.tif 000004
【図３】
2006126277.tif 000005
【図４】
2006126277.tif 000006